(57)【要約】【課題】電源装置内の温度が上昇することを抑制することが可能な遊技機を提供する。【解決手段】筐体１１は、木製板状に形成された天板１１ａ、底板１１ｂ、背板１１ｃ、左側板１１ｄ及び右側板１１ｅからなり、隣接する各板１１ａ〜１１ｅが接着剤等の固定手段によって固定されることにより、全体として前面を開放した箱状に形成されている。筐体１１の前面側には、前面開閉扉としての前面扉１２が開閉可能に取り付けられている。前面扉１２の上部には、遊技の進行に伴い点灯したり点滅したりする上部ランプ１３が設けられている。筐体１１の内部には電源装置１６１が設けられており、筐体１１における電源装置１６１の下方には、底板１１ｂを上下方向に貫通するとともに筐体１１の後方及び左方に開放された開口４５が形成されている。【選択図】      図３
2008011952.tif 000002
【特許請求の範囲】
【請求項１】
遊技機前方から視認可能な位置に設けられ、複数種の絵柄を変動表示させる絵柄表示装置と、
前記絵柄の変動表示を開始させるべく操作される始動操作手段と、
前記絵柄の変動表示を停止させるべく操作される停止操作手段と、
前記始動操作手段の操作に基づいて前記絵柄の変動表示を開始させ、前記停止操作手段の操作に基づいて前記絵柄の変動表示を停止させるように前記絵柄表示装置を変動表示制御する変動表示制御手段と、
少なくとも前記変動表示制御手段に電力を供給する電力供給手段を有する電源装置と、
遊技機前方に開放されるとともに、前記絵柄表示装置や前記電源装置を搭載する筐体と
を備え、
前記絵柄の変動表示が停止した場合、前記絵柄の停止結果に基づいて遊技者に特典を付与する遊技機において、
前記電源装置の上面及び下面には、それらの面を上下方向に貫通する貫通孔を形成し、前記筐体の底板部には、上下方向に貫通する通気孔を前記電源装置の下方位置に形成し、
前記通気孔を、遊技機後方又は遊技機側方の少なくとも一方に開放された形状としたことを特徴とする遊技機。
【発明の詳細な説明】
【技術分野】
【０００１】
本発明は、スロットマシン等の遊技機に関するものである。
【背景技術】
【０００２】
この種の遊技機として、例えばスロットマシンでは、箱状の筐体内部にリール装置、メダル払出装置、主基板を含む各種制御装置、電源装置等が搭載され、筐体の前面側に開閉可能に取り付けられる前面扉には、メダル投入装置、スタートレバー、ストップボタン等が設けられている。リール装置には外周面に複数の図柄を付されたリールが複数設置されており、前面扉の表示窓を通じて図柄の一部が視認可能な構成となっている。そして遊技者がメダルを投入してスタートレバーを操作することにより各リールが回転を開始し、これに伴い各リールの外周面に付された図柄が表示窓を通じて可変表示される。その後、各リールが回転を開始した後にストップスイッチが操作されることで各リールが停止する。また、全てのリールが停止した際に、予め設定された有効ライン上に形成された図柄の組合せに応じて、所定枚数のメダルが払い出されたり、遊技者に有利なボーナスゲーム等の特別遊技状態に移行したりするなどの特典が付与される。
【０００３】
上記のような、箱状の筐体内部に各種装置が搭載された遊技機では、例えばリール装置や各種制御装置に電力を供給する際に電源装置から熱が発生し、電源装置内の温度が上昇する可能性がある。そこで、電源装置の上面には通気孔が形成され、筐体の背面側には、電源装置から発生した熱をスロットマシンの外部に放出する或いは外部の空気を電源装置の内部に取り込むことが可能な開口部が形成されていることが一般的である（例えば特許文献１参照）。
【０００４】
しかしながら、本発明者らは、上記構成の場合、電源装置内の温度上昇を十分に抑制できないことを懸念するに至った。すなわち、熱を帯びた空気は上昇するため、電源装置にて発生した熱は前記開口部から放出されるより電源装置上面の通気孔から放出される可能性の方が高い。そこで、筐体外部の空気が開口部から電源装置の内部に取り込まれると共に電源装置内の熱を帯びた空気が通気孔から放出される流れを考えた場合、例えば電源装置の下部等の対流が発生しない箇所に熱がこもる可能性が考えられるからである。
【特許文献１】特開２００１−１７０２４７号公報
【発明の開示】
【発明が解決しようとする課題】
【０００５】
本発明は上記事情に鑑みてなされたものであり、電源装置内の温度が上昇することを抑制することが可能な遊技機を提供することを目的とするものである。
【課題を解決するための手段】
【０００６】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００７】
手段１．遊技機前方から視認可能な位置に設けられ、複数種の絵柄を変動表示させる絵柄表示装置（リール４２Ｌ，４２Ｍ，４２Ｒ及びステッピングモータ６１Ｌ，６１Ｍ，６１Ｒ）と、
前記絵柄の変動表示を開始させるべく操作される始動操作手段（スタートレバー７１）と、
前記絵柄の変動表示を停止させるべく操作される停止操作手段（ストップスイッチ７２〜７４）と、
前記始動操作手段の操作に基づいて前記絵柄の変動表示を開始させ、前記停止操作手段の操作に基づいて前記絵柄の変動表示を停止させるように前記絵柄表示装置を変動表示制御する変動表示制御手段（主制御装置１３１）と、
少なくとも前記変動表示制御手段に電力を供給する電力供給手段（電源部１６１ａを含む電源基板）を有する電源装置（電源装置１６１）と、
遊技機前方に開放されるとともに、前記絵柄表示装置や前記電源装置を搭載する筐体（筐体１１）と
を備え、
前記絵柄の変動表示が停止した場合、前記絵柄の停止結果に基づいて遊技者に特典を付与する遊技機において、
前記電源装置の上面（上面板１２１ａ）及び下面（下面板１２１ｂ）には、それらの面を上下方向に貫通する貫通孔（上面貫通孔１２５ａ、下面貫通孔１２５ｂ）を形成し、前記筐体の底板部（底板１１ｂ）には、上下方向に貫通する通気孔（開口４５）を前記電源装置の下方位置に形成し、
前記通気孔を、遊技機後方又は遊技機側方の少なくとも一方に開放された形状としたことを特徴とする遊技機。
【０００８】
手段１によれば、電源装置の上面及び下面に、それらの面を上下方向に貫通する貫通孔を形成したため、電力供給手段から熱が発生したとしても、電源装置の下方から電源装置内に空気を取り込みつつ、電源装置内の熱を帯びた空気を電源装置の上方へと排出することができる。
【０００９】
また、筐体の底板部には、上下方向に貫通する通気孔を電源装置の下方位置に形成したため、筐体の外部の空気を、電源装置の下方から筐体の内部に取り込みつつ、電源装置内を経由させて電源装置の上方へと流すことができる。したがって、電源装置内において下方から上方へと空気の対流を発生させることが可能となり、電力供給手段から熱が発生したとしても電源装置内にその熱がこもることを抑制することが可能となる。
【００１０】
さらに、底板部を上下方向に貫通するのみならず、遊技機後方又は遊技機側方の少なくとも一方に開放されるように通気孔を形成したため、通気孔の下方が例えば遊技場の設置台等により塞がれたとしても、遊技機後方又は遊技機側方の少なくとも一方から筐体の外部の空気を筐体の内部に取り込むことができる。
【００１１】
以上の結果、電源装置内の温度が上昇することを抑制することができる。
【００１２】
手段２．手段１において、前記電源装置を前記底板部に当接させて配置するとともに、前記電源装置の下面には、前記通気孔の上方に位置するように前記貫通孔を形成したことを特徴とする遊技機。
【００１３】
手段２によれば、電源装置を筐体の底板部に当接させて配置するとともに、筐体の通気孔の上方に位置するように電源装置の下面に貫通孔を形成したため、筐体の通気孔と電源装置の貫通孔とを連通させることができる。したがって、筐体の外部の空気を電源装置内に直接取り込むことができる。
【００１４】
手段３．手段１又は手段２において、前記電源装置により前記通気孔を塞いだことを特徴とする遊技機。
【００１５】
手段３によれば、電源装置により筐体の通気孔を塞いだため、筐体の内部に手や工具などが差し入れられたりすることを抑制することができる。これにより、筐体の外部の空気を電源装置の内部に取り込む構成としつつ、筐体の内部に行われる不正に対する抑止効果を奏することができる。
【００１６】
なお、電源装置により筐体の通気孔を塞ぐ構成として、通気孔の前後方向の寸法を電源装置の下面の前後方向の寸法より小さく、通気孔の左右方向の寸法を電源装置の下面の左右方向の寸法より小さくした構成が例として挙げられる。
【００１７】
手段４．手段３において、前記電源装置の下面には前記貫通孔を所定方向に並ぶように複数形成したことを特徴とする遊技機。
【００１８】
手段４によれば、電源装置の下面には貫通孔を所定方向に並ぶように複数設けたため、電源装置の内部に空気を取り込む領域を大きく確保しつつ、その一つ一つを細分化することが可能となる。したがって、電源装置の内部に手や工具などが差し入れられたりすることを抑制することができる。また、電源装置により筐体の通気孔を塞ぐ構成としたため、電源装置の下方から電源装置の内部に空気を取り込む構成としつつ、電源装置の内部に行われる不正や、電源装置を介して筐体の内部に行われる不正に対する抑止効果を奏することができる。
【００１９】
手段５．手段１乃至手段４のいずれかにおいて、前記筐体の背板部（背板１１ｃ）及び側板部（左側板１１ｄ、右側板１１ｅ）を前記底板部の上面周端部に立設するとともに、前記底板部の周縁部に切欠部（切欠部４４）を設けたことを特徴とする遊技機。
【００２０】
手段５によれば、背板部及び側板部を底板部の上面周縁部に立設して筐体を形成するとともに、底板部の周縁部に切欠部を設けた。これにより、底板部を上下方向に貫通するのみならず、遊技機後方又は遊技機側方に開放された形状の通気孔を筐体に形成することができる。また、筐体の通気孔を一部材で形成することができるため、比較的簡易な構成で筐体に通気孔を形成することが可能となる。
【００２１】
なお、かかる構成においては、通気孔における遊技機後方又は遊技機側方に開放された部位の上下方向の寸法が底板部の厚み寸法と同じとなり、前記部位の上下方向の寸法を底板部の厚み寸法で規定することができる。したがって、底板部の厚み寸法を大きくすれば、前記部位の上下方向の寸法を大きくすることができる。この点からも、比較的簡易な構成で筐体に通気孔を形成することが可能となる。
【００２２】
手段６．手段５において、前記切欠部を前記底板部の隅角に設けたことを特徴とする遊技機。
【００２３】
手段６によれば、切欠部を底板部の隅角に設けたため、底板部を上下方向に貫通するのみならず、遊技機側方及び後方に開放された形状の通気孔を筐体に形成することができる。したがって、通気孔の下方のみならず後方又は側方が塞がれても、後方又は側方の塞がれていない部位から筐体の外部の空気を筐体の内部に取り込むことができる。
【００２４】
手段７．手段５又は手段６において、前記底板部を木製材料により形成したことを特徴とする遊技機。
【００２５】
手段７によれば、底板部を木製材料により形成したため、底板部に所望される強度を確保するためには、底板部に所定の厚みを持たせる必要が生じる。この結果、通気孔の上下方向の寸法を比較的大きく確保することが可能となり、筐体外部の空気を取り込む領域を比較的大きくすることが可能となる。
【００２６】
手段８．手段１乃至手段７のいずれかにおいて、前記電源装置は、前記電力供給手段を収容する収容箱（電源ボックス１２１）を有し、
前記収容箱を一側が開放された形状とし、当該一側を塞ぐように前記電源装置を前記筐体の側板部又は背板部に当接させて配置したことを特徴とする遊技機。
【００２７】
手段８によれば、電力供給手段を収容箱に収容したため、電力供給手段に対して行われる不正に対する抑止効果を奏することができる。その収容箱の一側を開放したため、収容箱に電力供給手段を容易に収容させることができる。また、収容箱の開放された一側を塞ぐように電源装置を筐体の側板部又は背板部に当接させて配置したため、筐体の通気孔などから収容箱の開放側が筐体の外部に露出することを回避することができる。このため、収容箱の開放側から電源装置の内部に手や工具が差し入れられたりすることを回避することができる。故に、収容箱に電力供給手段を容易に収容させつつ、電源装置の内部に行われる不正に対する抑止効果を奏することができる。
【００２８】
手段９．手段１乃至手段８のいずれかにおいて、前記電源装置の側面（側面板１２１ｅ）に、左右方向に貫通する側面貫通孔（側面貫通孔１２５ｅ）を形成したことを特徴とする遊技機。
【００２９】
手段９によれば、電源装置の側面に、左右方向に貫通する側面貫通孔を形成したため、電源装置の側方から電源装置内に空気を取り込んだり、電源装置の側方から電源装置の外部に空気を排出したりすることができる。したがって、電源装置の下面の貫通孔からのみならず側面貫通孔からも空気を取り込みつつ、熱を帯びた空気を電源装置の外部に排出することができる。また、電力供給手段から過剰に熱が発生した場合には、熱を帯びた空気を電源装置の上面の貫通孔からのみならず側面貫通孔からも排出することができる。故に、電源装置において、空気をその内部により多く取り込むとともに、熱を帯びた空気をその外部により多く排出することができる。
【００３０】
手段１０．手段１乃至手段９のいずれかにおいて、前記通気孔を、遊技機側方及び遊技機後方に開放したことを特徴とする遊技機。
【００３１】
手段１０によれば、筐体の通気孔を、遊技機側方及び遊技機後方に開放したため、通気孔の下方のみならず後方又は側方が塞がれても、後方又は側方の塞がれていない部位から筐体の外部の空気を筐体の内部に取り込むことができる。
【００３２】
手段１１．手段１乃至手段１０のいずれかにおいて、前記筐体の背板部（背板１１ｃ）の上部に、前後方向に貫通する背板貫通孔（貫通孔４８）を形成したことを特徴とする遊技機。
【００３３】
手段１１によれば、筐体の背板部の上部に、前後方向に貫通する背板貫通孔を形成したため、熱を帯びた空気が筐体内を上昇してきても、熱を帯びた空気を背板貫通孔から筐体の外部に排出することができる。したがって、筐体に熱がこもることを抑制することができるため、電源装置内の温度上昇を抑制することができるのみならず、筐体内の温度上昇をも抑制することができる。
【００３４】
手段１２．手段１乃至手段１１のいずれかにおいて、前記電源装置は、前記電力供給手段を収容する収容箱（電源ボックス１２１）を有し、前記収容箱の上面（上面板１２１ａ）及び下面（下面板１２１ｂ）に前記貫通孔を形成したことを特徴とする遊技機。
【００３５】
手段１２によれば、収容箱の上面及び下面に、それらの面を上下方向に貫通する貫通孔を形成したため、電力供給手段から熱が発生したとしても、収容箱の下方から収容箱内に空気を取り込みつつ、収容箱内の熱を帯びた空気を収容箱の上方へと排出することができる。故に、電源装置内の温度が上昇することを抑制することができる。
【００３６】
なお、かかる構成を上記手段９に適用する場合には、収容箱の側面に側面貫通孔を形成すれば良い。かかる構成とすれば、収容箱の側方から収容箱内に空気を取り込んだり、収容箱の側方から収容箱の外部に空気を排出したりすることができる。故に、手段９に記載した効果と同様の効果を奏することができる。
【００３７】
手段１３．遊技を制御する制御装置（主制御装置１３１）と、
少なくとも前記制御装置に電力を供給する電力供給手段（電源部１６１ａを含む電源基板）を有する電源装置（電源装置１６１）と、
前記制御装置や前記電源装置を搭載する箱体（筐体１１）と
を備えた遊技機において、
前記電源装置の上面（上面板１２１ａ）及び下面（下面板１２１ｂ）には、それらの面を上下方向に貫通する貫通孔（上面貫通孔１２５ａ、下面貫通孔１２５ｂ）を形成し、前記箱体の底板部（底板１１ｂ）には、上下方向に貫通する通気孔（開口４５）を前記電源装置の下方位置に形成し、
前記通気孔を、遊技機後方又は遊技機側方の少なくとも一方に開放された形状としたことを特徴とする遊技機。
【００３８】
手段１３によれば、電源装置の上面及び下面に、それらの面を上下方向に貫通する貫通孔を形成したため、電力供給手段から熱が発生したとしても、電源装置の下方から電源装置内に空気を取り込みつつ、電源装置内の熱を帯びた空気を電源装置の上方へと排出することができる。
【００３９】
また、箱体の底板部には、上下方向に貫通する通気孔を電源装置の下方位置に形成したため、箱体の外部の空気を、電源装置の下方から箱体の内部に取り込みつつ、電源装置内を経由させて電源装置の上方へと流すことができる。したがって、電源装置内において下方から上方へと空気の対流を発生させることが可能となり、電力供給手段から熱が発生したとしても電源装置内にその熱がこもることを抑制することが可能となる。
【００４０】
さらに、底板部を上下方向に貫通するのみならず、遊技機後方又は遊技機側方の少なくとも一方に開放されるように通気孔を形成したため、通気孔の下方が例えば遊技場の設置台等により塞がれたとしても、遊技機後方又は遊技機側方の少なくとも一方から箱体の外部の空気を箱体の内部に取り込むことができる。
【００４１】
以上の結果、電源装置内の温度が上昇することを抑制することができる。
【００４２】
なお、上記手段２乃至手段１２の特徴的構成を手段１３に適用することもできる。
【発明を実施するための最良の形態】
【００４３】
以下、遊技機の一種である回胴式遊技機、具体的にはスロットマシンに適用した場合の一実施の形態を、図面に基づいて詳細に説明する。図１はスロットマシン１０の正面図、図２はスロットマシン１０の前面扉１２を閉じた状態の斜視図、図３はスロットマシン１０を背面側から見た斜視図、図４はスロットマシン１０の前面扉１２を開いた状態の斜視図、図５は前面扉１２の背面図、図６は筐体１１の正面図である。
【００４４】
図１〜図６に示すように、スロットマシン１０は、その外殻を形成する筐体１１を備えている。筐体１１は、木製板状に形成された天板１１ａ、底板１１ｂ、背板１１ｃ、左側板１１ｄ及び右側板１１ｅからなり、隣接する各板１１ａ〜１１ｅが接着剤等の固定手段によって固定されることにより、全体として前面を開放した箱状に形成されている。底板１１ｂは、全体として矩形板状に形成されるとともに、その隅角部の１つに矩形状の切欠部４４が形成されている。底板１１ｂの厚み寸法は１５ｍｍとなっている。なお、底板１１ｂの厚み寸法は、底板１１ｂの強度が確保される大きさであればよい。そして、底板１１ｂの上面周縁部に立設するようにして背板１１ｃ、左側板１１ｄ及び右側板１１ｅが底板１１ｂに固定された際には、底板１１ｂの切欠部４４により筐体１１の左後端部に開口４５が形成されるようになっている。より詳しくは、筐体１１の左後端部には、筐体１１の上下方向に貫通すると共に、筐体１１の後方及び左方に貫通する開口４５が形成されるようになっている。背板１１ｃの左下部には、開口４５の上方に位置するようにして、貫通孔４６が上下に複数形成されている。また、背板１１ｃの上部及び下部には、横長の貫通孔４７，４８がそれぞれ複数形成されている。
【００４５】
なお、各板１１ａ〜１１ｅは木製のパネルによって構成する以外に、合成樹脂製パネル又は金属製パネルによって構成してもよいし、合成樹脂材料又は金属材料によって一体の箱状に形成することによって構成してもよい。以上のように構成された筐体１１は、遊技ホールへの設置の際にいわゆる島設備に対し釘を打ち付ける等して取り付けられる。
【００４６】
筐体１１の前面側には、前面開閉扉としての前面扉１２が開閉可能に取り付けられている。すなわち、筐体１１の左側板１１ｄには、上下一対の支軸２５ａ，２５ｂが設けられている。支軸２５ａ，２５ｂは上方に向けて突出された先細り形状の軸部を備えている。一方、前面扉１２には、各支軸２５ａ，２５ｂに対応して当該支軸２５ａ，２５ｂの軸部が挿入される挿入孔を備えた支持金具２６ａ，２６ｂが設けられている。そして、各支軸２５ａ，２５ｂの上方に支持金具２６ａ，２６ｂを配置させた上で前面扉１２を降下させることにより、支持金具２６ａ，２６ｂの挿入孔に支軸２５ａ，２５ｂの軸部が挿入された状態とされる。これにより、前面扉１２は筐体１１に対して両支軸２５ａ，２５ｂを結ぶ上下方向へ延びる開閉軸線を中心として回動可能に支持され、その回動によって筐体１１の前面開放側を開放したり閉鎖することができるように構成されている。
【００４７】
前面扉１２は、その裏面に設けられた施錠装置によって開放不能な施錠状態とされる。また、前面扉１２の右端側上部には解錠操作部たるキーシリンダ２０が設けられている。キーシリンダ２０は施錠装置と一体化されており、キーシリンダ２０に対する所定のキー操作によって前記施錠状態が解除されるように構成されている。そこで、施錠装置を含むロック機構について概略を説明する。
【００４８】
前面扉１２の右端側、すなわち前面扉１２の開閉軸の反対側には、その裏面に施錠装置が設けられている。施錠装置は、上下方向に延び前面扉１２に固定された基枠と、基枠の上部から前面扉１２の前方に延びるように設けられたキーシリンダ２０と、基枠に対して上下方向に移動可能に組み付けられた長尺状の連動杆２１とを備えている。そして、施錠装置のうちキーシリンダ２０だけが前面扉１２の前方に突出した状態で設けられている。キーシリンダ２０が設けられる位置は前面扉１２の中でも肉厚の薄い上部位置とされており、その結果、全長の短い汎用性のあるキーシリンダ２０を採用することができる。なお、本実施の形態では、キーシリンダ２０として、不正解錠防止機能の高いオムロック（商標名）が用いられている。連動杆２１は、キーシリンダ２０に差し込んだキーを時計回りに操作することで下方へ移動される。連動杆２１には、鉤形状をなす上下一対の鉤金具２２が設けられており、筐体１１に対して前面扉１２を閉鎖した際には、鉤金具２２が筐体１１側の支持金具２３に係止されて施錠状態となる。なお、鉤金具２２には施錠状態を維持する側へ付勢するコイルバネ等の付勢部材が設けられている。キーシリンダ２０に対してキーが時計回りに操作されると、連動杆２１が下方に移動し、前記付勢部材の付勢力に抗して鉤金具２２が移動されることにより当該鉤金具２２と支持金具２３との係止状態が解除され、筐体１１に対する前面扉１２の施錠状態が解除される。
【００４９】
前面扉１２の中央部上寄りには、遊技者に遊技状態を報知する遊技パネル３０が設けられている。遊技パネル３０には、縦長の３つの表示窓３１Ｌ，３１Ｍ，３１Ｒが横並びとなるように形成されている。表示窓３１Ｌ，３１Ｍ，３１Ｒは透明又は半透明な材質により構成されており、各表示窓３１Ｌ，３１Ｍ，３１Ｒを通じてスロットマシン１０の内部が視認可能な状態となっている。なお、各表示窓３１Ｌ，３１Ｍ，３１Ｒを１つにまとめて共通の表示窓としてもよい。
【００５０】
図４に示すように、筐体１１は仕切り板４０によりその内部が上下２分割されており、仕切り板４０の上部には、可変表示手段を構成するリールユニット４１が取り付けられている。リールユニット４１は、円筒状（円環状）にそれぞれ形成された左リール４２Ｌ，中リール４２Ｍ，右リール４２Ｒを備えている。なお、各リール４２Ｌ，４２Ｍ，４２Ｒは少なくとも無端状ベルトとして構成されていればよく、円筒状（円環状）に限定されるものではない。各リール４２Ｌ，４２Ｍ，４２Ｒは、その中心軸線が当該リールの回転軸線となるように回転可能に支持されている。各リール４２Ｌ，４２Ｍ，４２Ｒの回転軸線は略水平方向に延びる同一軸線上に配設され、それぞれのリール４２Ｌ，４２Ｍ，４２Ｒが各表示窓３１Ｌ，３１Ｍ，３１Ｒと１対１で対応している。従って、各リール４２Ｌ，４２Ｍ，４２Ｒの表面の一部はそれぞれ対応する表示窓３１Ｌ，３１Ｍ，３１Ｒを通じて視認可能な状態となっている。また、リール４２Ｌ，４２Ｍ，４２Ｒが正回転すると、各表示窓３１Ｌ，３１Ｍ，３１Ｒを通じてリール４２Ｌ，４２Ｍ，４２Ｒの表面は上から下へ向かって移動しているかのように映し出される。
【００５１】
これら各リール４２Ｌ，４２Ｍ，４２Ｒは、それぞれがステッピングモータ６１Ｌ，６１Ｍ，６１Ｒに連結されており、各ステッピングモータ６１Ｌ，６１Ｍ，６１Ｒの駆動により各リール４２Ｌ，４２Ｍ，４２Ｒが個別に、即ちそれぞれ独立して回転駆動し得る構成となっている。これら各リール４２Ｌ，４２Ｍ，４２Ｒは同様の構成をしているため、ここでは左リール４２Ｌを例に挙げて図７に基づいて説明する。なお、図７は左リール４２Ｌの組立斜視図である。
【００５２】
左リール４２Ｌは、円筒状のかごを形成する円筒骨格部材５０と、その外周面において無端状に巻かれた帯状のベルトとを備えている。そして、その巻かれた状態を維持するように、ベルトの長辺両側に沿って形成された一対のシール部を介して円筒骨格部材５０に貼付されている。前記ベルトの外周面には、識別情報としての図柄が等間隔ごとに多数印刷されている。円筒骨格部材５０の中心部にはボス部５１形成されており、円盤状のボス補強板５２を介して左リール用ステッピングモータ６１Ｌの駆動軸に取り付けられている。従って、左リール用ステッピングモータ６１Ｌの駆動軸が回転することによりその駆動軸を中心として円筒骨格部材５０が自転するように回転され、左リール４２Ｌが円環状のリール面に沿って周回するようになっている。
【００５３】
左リール用ステッピングモータ６１Ｌは、リールユニット４１（図４）内において起立状態に配置されたモータプレート５３の側面にねじ５４で固定されている。モータプレート５３には、発光素子５５ａと受光素子５５ｂとが所定間隔をおいて保持されたリールインデックスセンサ（回転位置検出センサ）５５が設置されている。一方、左リール４２Ｌと一体化されたボス補強板５２には、半径方向に延びるセンサカットバン５６の基端部５６ｂがねじ５７で固定されている。このセンサカットバン５６の先端部５６ａは、略直角に屈曲されてリールインデックスセンサ５５の両素子５５ａ，５５ｂの間を通過できるように位置合わせがなされている。そして、左リール４２Ｌが１回転するごとにセンサカットバン５６の先端部５６ａの通過をリールインデックスセンサ５５が検出し、その検出の都度、後述する主制御装置１３１に検出信号が出力される。従って、主制御装置１３１はこの検出信号に基づいて左リール４２Ｌの角度位置を１回転ごとに確認し補正できる。
【００５４】
ステッピングモータ６１Ｌは例えば５０４パルスの駆動信号（励磁信号あるいは励磁パルスとも言う。以下同じ）を与えることにより１回転されるように設定されており、この励磁パルスによってステッピングモータ６１Ｌの回転位置、すなわち左リール４２Ｌの回転位置が制御される。
【００５５】
各リール４２Ｌ，４２Ｍ，４２Ｒの各ベルト上には、その長辺方向（周回方向）に複数個、具体的には２１個の図柄が描かれている。従って、所定の位置においてある図柄から次の図柄へ切り替えるには２４パルス（＝５０４パルス÷２１図柄）を要する。そして、リールインデックスセンサ５５の検出信号が出力された時点からのパルス数により、どの図柄が表示窓３１Ｌ，３１Ｍ，３１Ｒから視認可能な状態となっているかを認識したり、任意の図柄を表示窓３１Ｌ，３１Ｍ，３１Ｒから視認可能な状態としたりする制御を行うことができる。
【００５６】
各リール４２Ｌ，４２Ｍ，４２Ｒに付された図柄のうち、表示窓３１Ｌ，３１Ｍ，３１Ｒを介して全体を視認可能な図柄数は、主として表示窓３１Ｌ，３１Ｍ，３１Ｒの上下方向の長さによって決定される所定数に限られている。本実施形態では各リール３個ずつとされている。このため、各リール４２Ｌ，４２Ｍ，４２Ｒがすべて停止している状態では、３×３＝９個の図柄が遊技者に視認可能な状態となる。
【００５７】
ここで、各リール４２Ｌ，４２Ｍ，４２Ｒに付される図柄について説明する。図８には、左リール４２Ｌ，中リール４２Ｍ，右リール４２Ｒのそれぞれに巻かれるベルトに描かれた図柄配列が示されている。同図に示すように、各リール４２Ｌ，４２Ｍ，４２Ｒにはそれぞれ２１個の図柄が一列に設けられている。また、各リール４２Ｌ，４２Ｍ，４２Ｒに対応して番号が０〜２０まで付されているが、これら番号は主制御装置１３１が表示窓から視認可能な状態となっている図柄を認識するための番号であり、リール４２Ｌ，４２Ｍ，４２Ｒに実際に付されているわけではない。但し、以下の説明では当該番号を使用して説明する。
【００５８】
図柄としては、「リプレイ」図柄（例えば、左ベルト２０番目）、「ベル」図柄（例えば、左ベルト１９番目）、「青年」図柄（例えば、左ベルト１８番目）、「７」図柄（例えば、左ベルト１７番目）、「チェリー」図柄（例えば、左ベルト１３番目）、「チャンス」図柄（例えば、左ベルト１２番目）、「スイカ」図柄（例えば、左ベルト９番目）、「リーチ」図柄（例えば、左ベルト６番目）、「ラッキー」図柄（例えば、左ベルト１番目）の９種類がある。そして、図８に示すように、各リール４２Ｌ，４２Ｍ，４２Ｒに巻かれるベルトにおいて、各種図柄の数や配置順序は全く異なっている。
【００５９】
なお、リールユニット４１の各リール４２Ｌ，４２Ｍ，４２Ｒは識別情報を可変表示する可変表示手段の一例であり、主表示部を構成する。但し、可変表示手段は、図柄を周方向に可変表示する構成であれば、これ以外の構成であってもよい。例えば、ベルトを自転させるのではなく周回させるタイプ等の他の機械的なリール構成としてもよく、また、機械的なリール構成に加えて、液晶表示器、ドットマトリックス表示器等の電気的表示により識別情報を可変表示させるものを設けてもよく、この場合は表示形態に豊富なバリエーションをもたせることが可能となる。
【００６０】
遊技パネル３０には、各表示窓３１Ｌ，３１Ｍ，３１Ｒを結ぶようにして、横方向へ平行に３本、斜め方向へたすき掛けに２本、計５本の組合せラインが付されている。勿論、最大組合せライン数を６以上としてもよく、５未満としてもよく、所定条件に応じて最大組合せライン数を変更するようにしてもよい。これら各組合せラインに対応して、表示窓３１Ｌ，３１Ｍ，３１Ｒ群の正面から見て左側には有効ライン表示部３２，３３，３４が設けられている。第１有効ライン表示部３２は組合せラインのうち中央の横ライン（中ライン）が有効化された場合に点灯等によって表示報知される。第２有効ライン表示部３３は組合せラインのうち上下の横ライン（上ライン及び下ライン）が有効化された場合に点灯等によって表示報知される。第３有効ライン表示部３４は組合せラインのうち一対の斜めライン（右下がりライン及び右上がりライン）が有効化された場合に点灯等によって表示報知される。そして、有効化された組合せライン、すなわち有効ライン上に図柄が所定の組合せで停止した場合に入賞となり、予め定められたメダル数の払出処理や、特別遊技状態たるＢＢゲーム等のボーナスゲームへの移行処理などが実行される。
【００６１】
図９には、入賞となる図柄の組合せと、入賞となった場合に払い出されるメダル払出枚数とが示されている。
【００６２】
メダル払出が行われる小役入賞としては、スイカ入賞と、ベル入賞と、チェリー入賞とがある。有効ライン上に左から「スイカ」図柄、「スイカ」図柄、「スイカ」図柄と並んで停止した場合、スイカ入賞として１５枚のメダル払出、有効ライン上に左から「ベル」図柄、「ベル」図柄、「ベル」図柄と並んで停止した場合、ベル入賞として１１枚のメダル払出が行われる。また、左リール４２Ｌの「チェリー」図柄が有効ライン上に停止した場合、チェリー入賞として２枚のメダル払出が行われる。即ち、チェリー入賞の場合には、中リール４２Ｍ及び右リール４２Ｒの有効ライン上に停止する図柄はどのような図柄であってもよい。故に、左リール４２Ｌの複数の有効ラインが重なる位置（具体的には上段又は下段）に「チェリー」図柄が停止した場合には、各有効ライン上にてチェリー入賞が成立し、その重なった有効ラインの数を乗算した分だけのメダル払出が行われる。結果として、本実施形態では４枚のメダル払出が行われる。
【００６３】
また、遊技状態が移行する状態移行入賞としてＢＢ入賞がある。有効ライン上に左から「７」図柄、「７」図柄、「７」図柄と並んで停止した場合、ＢＢ入賞として遊技状態が特別遊技状態たるＢＢゲームに移行する。但し、「７」図柄が有効ライン上に左・中・右と並んで停止したとしても、メダル払出は行われない。すなわち、「７」図柄の組合せが有効ライン上に成立した際には、ＢＢゲームに移行するのみである。換言すれば、「７」図柄は、遊技状態をＢＢゲームに移行させるための状態移行図柄であるといえる。
【００６４】
更に、有効ライン上に左から「リプレイ」図柄、「リプレイ」図柄、「リプレイ」図柄と並んで停止した場合には、再遊技入賞となる。再遊技入賞が成立すると、メダル払出や状態移行は行われないものの、遊技者は所有するメダルを減らすことなく且つメダルを投入することなく次ゲームの遊技を行うことが可能となる。
【００６５】
加えて、遊技状態がＲＢゲームである場合に限り、有効ライン上に左から「リプレイ」図柄、「リプレイ」図柄、「チャンス」図柄と並んで停止した場合と、有効ライン上に左から「リプレイ」図柄、「リプレイ」図柄、「ラッキー」図柄と並んで停止した場合に、ＪＡＣ入賞として１５枚のメダル払出が行われる。
【００６６】
その他の場合、即ち有効ライン上に左リール４２Ｌの「チェリー」図柄が停止せず、また有効ライン上に上記した図柄の組合せが停止しなかった場合には、メダル払出や遊技状態の移行等は一切行われない。すなわち、左リール４２Ｌの「チャンス」図柄及び「ラッキー」図柄、中リール４２Ｍと右リール４２Ｒの「チェリー」図柄、各リール４２Ｌ，４２Ｍ，４２Ｒの「青年」図柄及び「リーチ」図柄は、入賞と一切関与していない。換言すれば、上記各図柄は、遊技者に付与される特典と無関係な無特典図柄であると言える。このように、各リール４２Ｌ，４２Ｍ，４２Ｒには、例えば「ベル」図柄等の入賞と関係する特典図柄と、例えば「青年」図柄等の入賞と無関係な無特典図柄がそれぞれ付されている。なお、以下では、各入賞と対応する図柄の組合せを入賞図柄の組合せともいう。例えば、ＢＢ図柄の組合せとは、ＢＢ入賞となる図柄の組合せ、すなわち「７」図柄、「７」図柄、「７」図柄の組合せである。
【００６７】
遊技パネル３０の下方左側には、各リール４２Ｌ，４２Ｍ，４２Ｒを一斉（同時である必要はない）に回転開始させるために操作されるスタートレバー７１が設けられている。スタートレバー７１はリール４２Ｌ，４２Ｍ，４２Ｒを回転開始、すなわち図柄の可変表示を開始させるべく操作される開始操作手段又は始動操作手段を構成する。スタートレバー７１は、遊技者がゲームを開始するときに手で押し操作するレバーであり、手が離れたあと元の位置に自動復帰する。メダルが所定数投入されているときにこのスタートレバー７１が操作されると、各リール４２Ｌ，４２Ｍ，４２Ｒが一斉に回転を始める。
【００６８】
スタートレバー７１の右側には、回転している各リール４２Ｌ，４２Ｍ，４２Ｒを個別に停止させるために操作されるボタン状のストップスイッチ７２，７３，７４が設けられている。各ストップスイッチ７２，７３，７４は停止対象となるリール４２Ｌ，４２Ｍ，４２Ｒに対応する表示窓３１Ｌ，３１Ｍ，３１Ｒの直下にそれぞれ配置されている。すなわち、左ストップスイッチ７２が操作された場合には左リール４２Ｌの回転が停止し、中ストップスイッチ７３が操作された場合には中リール４２Ｍの回転が停止し、右ストップスイッチ７４が操作された場合には右リール４２Ｒの回転が停止する。ストップスイッチ７２，７３，７４はリール４２Ｌ，４２Ｍ，４２Ｒの回転に基づく図柄の可変表示を停止させるべく操作される停止操作手段を構成する。各ストップスイッチ７２，７３，７４は、左リール４２Ｌが回転を開始してから所定時間が経過すると停止させることが可能な状態となり、かかる状態中には図示しないランプが点灯表示されることによって停止操作が可能であることが報知され、回転が停止すると消灯されるようになっている。
【００６９】
表示窓３１Ｌ，３１Ｍ，３１Ｒの下方右側には、投資価値としてのメダルを投入するためのメダル投入口７５が設けられている。メダル投入口７５は投資価値を入力する入力手段を構成する。また、メダル投入口７５が遊技者によりメダルを直接投入するという動作を伴う点に着目すれば、投資価値を直接入力する直接入力手段を構成するものともいえる。
【００７０】
メダル投入口７５から投入されたメダルは、前面扉１２の背面に設けられた通路切替手段としてのセレクタ８４によって貯留用通路８１か排出用通路８２のいずれかへ導かれる。すなわち、セレクタ８４にはメダル通路切替ソレノイド８３が設けられ、そのメダル通路切替ソレノイド８３の非励磁時には排出用通路８２側とされ、励磁時には貯留用通路８１側に切り替えられるようになっている。貯留用通路８１に導かれたメダルは、筐体１１の内部に収納されたホッパ装置９１へと導かれる。一方、排出用通路８２に導かれたメダルは、前面扉１２の前面下部に設けられたメダル排出口１７からメダル受け皿１８へと導かれ、遊技者に返還される。
【００７１】
メダルを遊技者に付与する払出手段としてのホッパ装置９１は、メダルを貯留する貯留タンク９２と、メダルを遊技者に払い出す払出装置９３とより構成されている。払出装置９３は、図示しないメダル払出用回転板を回転させることにより、排出用通路８２の中央右部に設けられた開口９４へメダルを排出し、排出用通路８２を介してメダル受け皿１８へメダルを払い出すようになっている。また、ホッパ装置９１の右方には、貯留タンク９２内に所定量以上のメダルが貯留されることを回避するための予備タンク９５が設けられている。ホッパ装置９１の貯留タンク９２内部には、この貯留タンク９２から予備タンク９５へとメダルを排出する誘導プレート９６が設けられている。したがって、誘導プレート９６が設けられた高さ以上にメダルが貯留された場合、かかるメダルが予備タンク９５に貯留されることとなる。
【００７２】
メダル投入口７５の下方には、ボタン状の返却スイッチ７６が設けられている。返却スイッチ７６は、メダル投入口７５に投入されたメダルがセレクタ８４内に詰まった際に押されるスイッチであり、このスイッチが押されることによりセレクタ８４が機械的に連動して動作され、当該セレクタ８４内に詰まったメダルがメダル排出口１７より返却されるようになっている。
【００７３】
表示窓３１Ｌ，３１Ｍ，３１Ｒの下方左側には、投資価値としてのクレジットされた仮想メダルを一度に３枚投入するためのボタン状の第１クレジット投入スイッチ７７が設けられている。また、第１クレジット投入スイッチ７７の左方には当該スイッチ７７よりも小さなボタン状のスイッチとして、第２クレジット投入スイッチ７８及び第３クレジット投入スイッチ７９が設けられている。第２クレジット投入スイッチ７８はクレジットされた仮想メダルを一度に２枚投入するためのものであり、第３クレジット投入スイッチ７９は仮想メダルを１枚投入するためのものである。各クレジット投入スイッチ７７〜７９は前記メダル投入口７５とともに投資価値を入力する入力手段を構成する。また、メダル投入口７５が遊技者によりメダルを直接投入するという動作を伴うのに対し各クレジット投入スイッチ７７〜７９は貯留記憶に基づく仮想メダルの投入という動作を伴うに過ぎない点に着目すれば、投資価値を間接入力する間接入力手段を構成するものともいえる。
【００７４】
なお、第１クレジット投入スイッチ７７は、１ゲームにつき投入できるメダル最大数（３枚）に達していないことを促すため、図示しない発光部材としてのランプが内蔵されている。当該ランプは、第１クレジット投入スイッチ７７のスイッチ操作が有効である状況時において点灯されて当該スイッチ７７の操作を促すが、クレジットされた仮想メダルが存在しない場合や既に３枚のメダル投入がなされている状況下では消灯される。ここで、上記点灯に代えて、点滅させてメダル投入の促しを遊技者に一層分かり易くしてもよい。
【００７５】
スタートレバー７１の左側には、ボタン状の精算スイッチ８０が設けられている。すなわち、本スロットマシン１０では、所定の最大値（メダル５０枚分）となるまでの余剰の投入メダルや入賞時の獲得メダルを仮想メダルとして貯留記憶するクレジット機能を有しており、仮想メダルが貯留記憶されている状態で精算スイッチ８０が押下操作されることで、仮想メダルが現実のメダルとして払い出される。この場合、クレジットされた仮想メダルを現実のメダルとして払い出すという機能に着目すれば、精算スイッチ８０は貯留記憶された遊技価値を実際に払い出すための精算操作手段を構成するものともいえる。
【００７６】
なお、所定の最大値（例えばメダル５０枚分）となるまでの余剰の投入メダルや入賞時の獲得メダルを仮想メダルとして貯留記憶するように設定された「クレジットモード」と、余剰の投入メダルや入賞時の獲得メダルを現実のメダルとして払い出すように設定された「ダイレクトモード」とを切換可能としたスロットマシンの場合には、前記精算スイッチ８０に、モード切換のための切換スイッチとしての機能を付加してもよい。この場合、精算スイッチ（切換スイッチ）８０は、１度押されるとオン状態になり、もう１度押されるとオフ状態になり、その後押下操作が行われるごとにオンオフが切り替わるように構成される。そして、精算スイッチ８０がオン状態のときにはクレジットモードとされ、精算スイッチ８０がオフ状態のときにはダイレクトモードとされる。クレジットモードからダイレクトモードに切り換えられた際に仮想メダルがある場合には、その分の仮想メダルが現実のメダルとして払い出される。これにより、遊技者はクレジットモードとダイレクトモードとを切り換えることで自身の好みに応じた形式で遊技を実行することができる。かかる精算スイッチ８０は投入価値及び遊技価値の取扱形式を切り換える切換操作手段を構成する。
【００７７】
遊技パネル３０の表示窓３１Ｌ，３１Ｍ，３１Ｒ下方には、貯留記憶された仮想メダル数を表示するクレジット表示部３５と、ＢＢゲームが終了するまでに獲得できる残りのメダル数を表示する残獲得枚数表示部３６と、入賞時に獲得したメダルの枚数を表示する獲得枚数表示部３７とがそれぞれ設けられている。これら表示部３５〜３７は７セグメント表示器によって構成されているが、液晶表示器等によって代替することは当然可能である。
【００７８】
ここで、メダルがベットされる手順について説明する。遊技の開始時にメダル投入口７５からメダルが投入されるとベットとなる。
【００７９】
すなわち、１枚目のメダルがメダル投入口７５に投入されると、第１有効ライン表示部３２が点灯し、そしてこれに対応する中ラインが有効ラインとなり、２枚目のメダルがメダル投入口７５に投入されると、更に第２有効ライン表示部３３が点灯すると共に、これに対応する上ライン及び下ラインを含む合計３本の組合せラインがそれぞれ有効ラインとなり、３枚目のメダルがメダル投入口７５に投入されると、更に第３有効ライン表示部３４が点灯し、そしてこれに対応する一対の斜めラインを含む合計５本の組合せライン全てが有効ラインとなる。
【００８０】
また、４枚以上のメダルがメダル投入口７５に投入されると、３枚を超える余剰メダルは、そのときに貯留記憶されている仮想メダルが５０枚未満であれば、スロットマシン内部に貯蓄されると共にクレジット表示部３５の仮想メダル数が加算表示される。一方、仮想メダル数が５０枚のとき又は５０枚に達したときには、セレクタ８４により貯留用通路８１から排出用通路８２への切替がなされ、メダル排出口１７からメダル受け皿１８へと余剰メダルが返却される。
【００８１】
また、クレジット表示部３５に貯留枚数が表示されている場合には、第１〜第３クレジット投入スイッチ７７〜７９のいずれかが押された際にも仮想メダルが投入されたこととなりベットとなる。
【００８２】
第３クレジット投入スイッチ７９が押された際には、仮想メダルが１枚投入されたこととしてクレジット表示部３５に表示されている数値が１つ減算され、第１有効ライン表示部３２が点灯して中ラインが有効ラインとなる。第２クレジット投入スイッチ７８が押された際には、仮想メダルが２枚投入されたこととしてクレジット表示部３５に表示されている数値が２つ減算され、第１有効ライン表示部３２および第２有効ライン表示部３３が点灯して合計３本の組合せラインが有効ラインとなる。第１クレジット投入スイッチ７７が押された際には、仮想メダルが３枚投入されたこととしてクレジット表示部３５に表示されている数値が３つ減算され、全ての有効ライン表示部３２〜３４が点灯して合計５本の組合せラインが有効ラインとなる。
【００８３】
なお、第１〜第３クレジット投入スイッチ７７〜７９のいずれかが押された際に投入されるべき仮想メダルが貯留されていない場合、例えばクレジット表示部３５の表示が２のときに第１クレジット投入スイッチ７７が押された場合等には、クレジット表示部３５の数値が全て減算されて０となり、投入可能な仮想メダル分だけベットされる。
【００８４】
前面扉１２の上部には、遊技の進行に伴い点灯したり点滅したりする上部ランプ１３と、遊技の進行に伴い種々の効果音を鳴らしたり、遊技者に遊技状態を報知したりする左右一対のスピーカ１４と、遊技者に各種情報を与える補助表示部１５とが設けられている。補助表示部１５は、本実施形態では表示内容の多様化及び表示演出の重厚化を意図して液晶表示器によって構成されているが、ドットマトリックス表示器等の他の表示器を使用してもよい。補助表示部１５は、遊技の進行に伴って各種表示演出を実行するためのものであり、各リール４２Ｌ，４２Ｍ，４２Ｒによる遊技を主表示部によるものと考えることができることから、本実施形態では補助表示部１５と称している。補助表示部１５の背面には上部ランプ１３やスピーカ１４、補助表示部１５を駆動させるための表示制御装置１１１が設けられている。なお、上部ランプ１３及びスピーカ１４の位置や数は特に以上説明したものに限られない。
【００８５】
メダル受け皿１８の上方には、機種名や遊技に関わるキャラクタなどが表示された下段プレート１６が装着されている。また、メダル受け皿１８の左方には、手前側下方に反転可能な灰皿１９が設けられている。
【００８６】
筐体１１の内部においてホッパ装置９１の左方には、電源装置１６１が設けられている。
【００８７】
ここで、電源装置１６１の構成について図１０を用いて説明する。図１０は、電源装置１６１を背面側から見た斜視図である。
【００８８】
電源装置１６１は、図示しない電源基板が電源ボックス１２１に収容されて構成されている。電源ボックス１２１は、金属製の上面板１２１ａと、下面板１２１ｂと、前面板１２１ｃと、後面板１２１ｄと、側面板１２１ｅとよりなり、側面板１２１ｅと対向する側が開放された箱状に形成されている。上面板１２１ａと下面板１２１ｂには、横長の貫通孔１２５ａ，１２５ｂ（以下、上面貫通孔１２５ａ、下面貫通孔１２５ｂとも言う）が、図１０における前後及び左右方向に整列するようにしてそれぞれ複数形成されている（上面貫通孔１２５ａは図４参照）。また、後面板１２１ｄには、縦長の貫通孔１２５ｄ（以下、後面貫通孔１２５ｄとも言う）が、図１０における左右及び上下方向に整列するようにして複数形成されており、側面板１２１ｅには、横長の貫通孔１２５ｅ（以下、側面貫通孔１２５ｅとも言う）が、図１０における前後及び上下方向に整列するようにして複数形成されている。
【００８９】
電源ボックス１２１の前面板１２１ｃには、図４等に示すように、電源スイッチ１２２やリセットスイッチ１２３や設定キー挿入孔１２４などが設けられている。電源スイッチ１２２は、主制御装置１３１を始めとする各部に電源を供給するための起動スイッチである。リセットスイッチ１２３は、スロットマシン１０のエラー状態をリセットするためのスイッチである。また、設定キー挿入孔１２４は、ホール管理者などがメダルの出玉調整を行うためのものである。すなわち、ホール管理者等が設定キーを設定キー挿入孔１２４へ挿入してＯＮ操作することにより、スロットマシン１０の当選確率を設定できるようになっている。なお、リセットスイッチ１２３は、エラー状態をリセットする場合のほか、スロットマシン１０の当選確率を変更する場合にも操作される。
【００９０】
図４に示すように、電源装置１６１は、電源ボックス１２１の開放された側が筐体１１の左側板１１ｄ側となるようにして、底板１１ｂ、背板１１ｃ及び左側板１１ｄに当接させて設置されている。ここで、筐体１１の底板１１ｂの切欠部４４は、電源ボックス１２１の下面板１２１ｂより小さく形成されている。すなわち、切欠部４４の前後方向の寸法は下面板１２１ｂの前後方向の寸法より小さく、左右方向の寸法は下面板１２１ｂの左右方向の寸法より小さくなっている。また、筐体１１の背板１１ｃの各貫通孔４６は、電源装置１６１と対応する位置に形成されると共に、電源ボックス１２１の後面板１２１ｄより小さく形成されている。すなわち、各貫通孔４６の左右方向の寸法は後面板１２１ｄの左右方向の寸法より小さく、上下方向の寸法は後面板１２１ｄの上下方向の寸法より小さくなっている。さらに、各貫通孔４６において、上側の貫通孔４６の上辺と下側の貫通孔４６の下辺との間の間隔は、後面板１２１ｄの上下方向の寸法より小さくなっている。したがって、電源装置１６１が筐体１１に設置された状態では、図３に示すように、筐体１１の開口４５が電源装置１６１によって塞がれるとともに、開口４５が電源装置１６１の下面貫通孔１２５ｂと連通された状態となっている。また、筐体１１の各貫通孔４６が電源装置１６１によって塞がれた状態となっている。
【００９１】
リールユニット４１の上方には、主制御装置１３１が筐体１１の背板１１ｃに取り付けられている。主制御装置１３１は、主たる制御を司るＣＰＵ、遊技プログラムを記憶したＲＯＭ、遊技の進行に応じた必要なデータを一時的に記憶するＲＡＭ、各種機器との連絡をとるポート、時間計数や同期を図る場合などに使用されるクロック回路等を含む主基板を具備しており、主基板が透明樹脂材料等よりなる被包手段としての基板ボックスに収容されて構成されている。基板ボックスは、略直方体形状のボックスベースと該ボックスベースの開口部を覆うボックスカバーとを備えている。これらボックスベースとボックスカバーとは封印手段としての封印ユニットによって開封不能に連結され、これにより基板ボックスが封印されている。なお、ボックスベースとボックスカバーとを鍵部材を用いて開封不能に連結する構成としてもよい。
【００９２】
次に、本スロットマシン１０の電気的構成について、図１１のブロック図に基づいて説明する。
【００９３】
主制御装置１３１には、演算処理手段であるＣＰＵ１５１を中心とするマイクロコンピュータが搭載されている。ＣＰＵ１５１には、電源装置１６１の内部に設けられた電源基板の他に、所定周波数の矩形波を出力するクロック回路１５４や、入出力ポート１５５などが内部バスを介して接続されている。かかる主制御装置１３１は、スロットマシン１０に内蔵されるメイン基盤としての機能を果たすものである。
【００９４】
主制御装置１３１の入力側には、スタートレバー７１の操作を検出するスタート検出センサ７１ａ、各ストップスイッチ７２，７３，７４の操作を個別に検出するストップ検出センサ７２ａ，７３ａ，７４ａ、メダル投入口７５から投入されたメダルを検出する投入メダル検出センサ７５ａ、各クレジット投入スイッチ７７，７８，７９の操作を個別に検出するクレジット投入検出センサ７７ａ，７８ａ，７９ａ、精算スイッチ８０の操作を検出する精算検出センサ８０ａ、各リール４２の回転位置（原点位置）を個別に検出するリールインデックスセンサ５５、ホッパ装置９１から払い出されるメダルを検出する払出検出センサ９１ａ、リセットスイッチ１２３の操作を検出するリセット検出センサ１２３ａ、設定キー挿入孔１２４に設定キーが挿入されてＯＮ操作されたことを検出する設定キー検出センサ１２４ａ等の各種センサが接続されており、これら各種センサからの信号は入出力ポート１５５を介してＣＰＵ１５１へ出力されるようになっている。
【００９５】
なお、投入メダル検出センサ７５ａは実際には複数個のセンサより構成されている。即ち、メダル投入口７５からホッパ装置９１に至る貯留用通路８１は、メダルが１列で通行可能なように構成されている。そして、貯留用通路８１には第１センサが設けられるとともに、それよりメダルの幅以上離れた下流側に第２センサ及び第３センサが近接（少なくとも一時期において同一メダルを同時に検出する状態が生じる程度の近接）して設けられており、これら第１乃至第３の各センサによって投入メダル検出センサ７５ａが構成されている。主制御装置１３１は、第１センサから第２センサに至る時間を監視し、その経過時間が所定時間を越えた場合にはメダル詰まり又は不正があったものとみなしてエラーとする。エラーになると、エラー報知が行われるとともにエラー解除されるまでの遊技者による操作が無効化される。また、主制御装置１３１は第２センサと第３センサとがオンオフされる順序をも監視し、第２，第３センサが共にオフ、第２センサのみオン、第２，第３センサが共にオン、第３センサのみオン、第２，第３センサが共にオフという順序通りになった場合で、かつ各オンオフ切換に移行する時間が所定時間内である場合にのみメダルが正常に取り込まれたと判断し、それ以外の場合はエラーとする。このようにするのは、貯留用通路８１でのメダル詰まりの他、メダルを投入メダル検出センサ７５ａ付近で往復動させてメダル投入と誤認させる不正を防止するためである。
【００９６】
また、主制御装置１３１の入力側には、入出力ポート１５５を介して電源装置１６１（電源基板）が接続されている。電源基板には、主制御装置１３１を始めとしてスロットマシン１０の各電子機器に駆動電力を供給する電源部１６１ａや、停電監視回路１６１ｂなどが搭載されている。
【００９７】
停電監視回路１６１ｂは電源の遮断状態を監視し、停電時はもとより、電源スイッチ１２２による電源遮断時に停電信号を生成するためのものである。そのため停電監視回路１６１ｂは、電源部１６１ａから出力されるこの例では直流１２ボルトの安定化駆動電圧を監視し、この駆動電圧が例えば１０ボルト未満まで低下したとき電源が遮断されたものと判断して停電信号が出力されるように構成されている。停電信号はＣＰＵ１５１と入出力ポート１５５のそれぞれに供給され、ＣＰＵ１５１ではこの停電信号を認識することにより停電時処理が実行される。また、停電信号は表示制御装置１１１にも供給されるように構成されている。
【００９８】
電源部１６１ａは、出力電圧が１０ボルト未満まで低下した場合でも、主制御装置１３１などの制御系における駆動電圧として使用される５ボルトの安定化電圧が出力されるように構成されている。この安定化電圧が出力される時間としては、主制御装置１３１による停電時処理を実行するに十分な時間が確保されている。
【００９９】
主制御装置１３１の出力側には、各有効ライン表示部３２，３３，３４、クレジット表示部３５、残獲得枚数表示部３６、獲得枚数表示部３７、各リール４２Ｌ，４２Ｍ，４２Ｒを回転させるための各ステッピングモータ６１（６１Ｌ，６１Ｍ，６１Ｒ）、セレクタ８４に設けられたメダル通路切替ソレノイド８３、ホッパ装置９１、表示制御装置１１１、図示しないホール管理装置などに情報を送信できる外部集中端子板１７１等が入出力ポート１５５を介して接続されている。
【０１００】
表示制御装置１１１は、上部ランプ１３やスピーカ１４、補助表示部１５を駆動させるための制御装置であり、これらを駆動させるためのＣＰＵ、ＲＯＭ、ＲＡＭ等が一体化された基板を備えている。そして、主制御装置１３１からの信号を受け取った上で、表示制御装置１１１が独自に上部ランプ１３、スピーカ１４及び補助表示部１５を駆動制御する。従って、表示制御装置１１１は、遊技を統括管理するメイン基盤たる主制御装置１３１との関係では補助的な制御を実行するサブ基盤となっている。即ち、間接的な遊技に関する音声やランプ、表示についてはサブ基盤を設けることにより、メイン基盤の負担軽減を図っている。なお、各種表示部３２〜３７を表示制御装置１１１が制御する構成としてもよい。
【０１０１】
上述したＣＰＵ１５１には、このＣＰＵ１５１によって実行される各種の制御プログラムや固定値データを記憶したＲＯＭ１５２と、このＲＯＭ１５２内に記憶されている制御プログラムを実行するに当たって各種のデータを一時的に記憶する作業エリアを確保するためのＲＡＭ１５３のほかに、図示はしないが周知のように割込み回路を始めとしてタイマ回路、データ送受信回路などスロットマシン１０において必要な各種の処理回路や、クレジット枚数をカウントするクレジットカウンタなどの各種カウンタが内蔵されている。
【０１０２】
ＲＡＭ１５３は、スロットマシン１０の電源が遮断された後においても電源装置１６１内に設けられた電源基板からバックアップ電圧が供給されてデータを保持（バックアップ）できる構成となっている。ＲＡＭ１５３には、各種のデータを一時的に記憶するためのメモリや、当選確率の設定を行う際に使用される設定情報格納エリア１５３ａ、ＢＢゲーム等の遊技状態やＢＢゲーム時に用いる各種データを記憶するためのＢＢ情報格納エリア１５３ｂ、毎回のゲームで使用する各種データを記憶するための遊技情報格納エリア１５３ｃ等の他に、バックアップエリアが設けられている。
【０１０３】
バックアップエリアは、停電などの発生により電源が遮断された場合において、電源遮断時（電源スイッチ１２２の操作による電源遮断をも含む。以下同様）のスタックポインタの値を記憶しておくためのエリアであり、停電解消時（電源スイッチ１２２の操作による電源投入をも含む。以下同様）には、バックアップエリアの情報に基づいてスロットマシン１０の状態が電源遮断前の状態に復帰できるようになっている。バックアップエリアへの書き込みは停電時処理によって電源遮断時に実行され、バックアップエリアに書き込まれた各値の復帰は電源投入時のメイン処理において実行される。なお、ＣＰＵ１５１のＮＭＩ端子（ノンマスカブル割込端子）には、停電等の発生による電源遮断時に、停電監視回路１６１ｂからの停電信号が入力されるように構成されており、停電等の発生に伴う停電フラグ生成処理としてのＮＭＩ割込み処理が即座に実行される。
【０１０４】
次に、筐体１１の内部における空気の流れについて簡単に説明する。
【０１０５】
電源装置１６１では、主制御装置１３１を始めとする各種電子機器に対して電力が供給される場合に、電源基板から熱が発生される。より詳しくは、電源基板には交流電力を直流電力に変換する電力変換回路や、電圧を昇降させる変圧器などが搭載されており、電源基板への電力の供給に伴って電力変換回路のスイッチング素子や変圧器のコイルなどから熱が発生される。電源基板から熱が発生されると、電源装置１６１内の空気が熱を帯びる。熱を帯びた空気は、電源装置１６１の上部へと上昇し、電源装置１６１の上面貫通孔１２５ａや、側面貫通孔１２５ｅのうち比較的上部に位置するものなどから電源装置１６１の外部に排出されたり、後面貫通孔１２５ｄのうち比較的上部に位置するものから筐体１１の貫通孔４６を介してスロットマシン１０の外部に排出されたりする。このとき、スロットマシン１０の外部の空気が、電源装置１６１の下面貫通孔１２５ｂから筐体１１の開口４５を介して電源装置１６１内に取り込まれたり、後面貫通孔１２５ｄのうち比較的下部に位置するものから筐体１１の貫通孔４６を介して電源装置１６１内に取り込まれたりする。したがって、電源装置１６１では、電源装置１６１の下方から取り込まれた空気が電源装置１６１の上方へ放出される空気の対流が発生する。
【０１０６】
また、電源装置１６１の上面貫通孔１２５ａなどから排出された熱を帯びた空気は、筐体１１の上部へと上昇し、筐体１１の上部に位置する貫通孔４８などからスロットマシン１０の外部に排出される。このとき、スロットマシン１０の外部の空気が、筐体１１の開口４５に加えて背板１１ｃの貫通孔４６，４７などから筐体１１内に取り込まれる。また、スロットマシン１０の外部の空気が開口４５や貫通孔４６から筐体１１内に取り込まれた場合、その空気は電源装置１６１内に取り込まれる。したがって、熱を帯びた空気が貫通孔４８などから筐体１１の外部に排出されることで、筐体１１ではその下部から上部への空気の対流が発生する。
【０１０７】
ここで、スロットマシン１０が遊技場の島設備に設置された場合を想定する。筐体１１の開口４５は筐体１１の後方、左方及び下方に開放されているため、例えば、島設備の台座により開口４５の下方に開放された側が塞がれた状態でも、開口４５の後方及び左方が開放された状態となる。側板１１ｄ及び背板１１ｃが底板１１ｂの上面に立設されているため、開口４５の上下方向の寸法は、底板１１ｂの厚さ寸法と同じとなっている。底板１１ｂはスロットマシン１０の荷重などに耐えられる強度を持つ必要があるため、前記強度を確保することができる所定の厚さとなっている。底板１１は木製板状であるため、所定の厚さは比較的厚くなっており、開口４５の後方及び左方への開放領域は比較的大きくなっている。したがって、開口４５の下方が塞がれても、スロットマシン１０の外部の空気が、開口４５の後方及び左方に開放した領域を介して下面貫通孔１２５ｂから電源装置１６１の内部に取り込まれる。
【０１０８】
以上詳述した本実施の形態によれば、以下の優れた効果を奏する。
【０１０９】
電源装置１６１の電源ボックス１２１に上面貫通孔１２５ａを形成したため、電源基板から熱が発生した場合に、熱を帯びた空気を上面貫通孔１２５ａから排出することができる。また、電源装置１６１の電源ボックス１２１に下面貫通孔１２５ｂを形成したため、電源装置１６１の外部の空気を下面貫通孔１２５ｂから取り込むことができる。下面貫通孔１２５ｂから取り込んだ空気は電源装置１６１内で熱を帯びることにより上昇し、上面貫通孔１２５ａから排出される。したがって、電源基板から熱が発生したとしても、下面貫通孔１２５ｂから電源装置１６１内に空気を取り込みつつ、上面貫通孔１２５ａから熱を帯びた空気を排出することができる。これにより、電源装置１６１において、電源装置１６１の下方から上方への空気の対流を発生させることができ、電源装置１６１内に熱がこもることを抑制することができる。故に、電源装置１６１内の温度が上昇することを抑制することができる。
【０１１０】
例えば、上面板１２１ａに上面貫通孔１２５ａを形成していない場合は、下面貫通孔１２５ｂから空気を取り込みつつ、電源装置１６１の比較的上部に形成された後面貫通孔１２５ｄや側面貫通孔１２５ｅから熱を帯びた空気を排出することができるが、電源装置１６１内の上面板１２１ａの付近に熱を帯びた空気がこもり、電源装置１６１内の温度が上昇することが懸念される。また、下面板１２１ｂに下面貫通孔１２５ｂを形成していない場合は、電源装置１６１の比較的下部に形成された後面貫通孔１２５ｄや側面貫通孔１２５ｅから空気を取り込みつつ、熱を帯びた空気を上面貫通孔１２５ａから排出することができるが、電源装置１６１内の下面板１２１ｂ付近に熱を帯びた空気がこもり、電源装置１６１内の温度が上昇することが懸念される。これらに対し、電源装置１６１に上面貫通孔１２５ａ及び下面貫通孔１２５ｂを形成した場合、電源装置１６１の下方から上方への空気の対流を発生させることができるため、電源装置１６１内における上面板１２１ａ付近や下面板１２１ｂ付近に熱がこもることを抑制することができる。故に、電源装置１６１内の温度が上昇することを抑制することができる。
【０１１１】
電源装置１６１の下面貫通孔１２５ｂが筐体１１の開口４５の上方に位置するように、電源装置１６１を筐体１１の底板１１ｂに当接させて設置したため、下面貫通孔１２５ｂと開口４５を連通させることができる。したがって、筐体１１の外部の空気を電源装置１６１内に直接取り込むことができる。例えば、電源装置１６１を仕切り板４０の下側に取り付けて電源装置１６１を底板１１ｂから離間させて配置した場合、筐体１１の内部の空気が熱を帯びていると、熱を帯びた空気が下面貫通孔１２５ｂから電源装置１６１内に取り込まれ、電源装置１６１内の温度上昇を十分に抑制できない可能性が生じる。これに対し、電源装置１６１の下面貫通孔１２５ｂと筐体１１の開口４５が連通している場合、筐体１１の内部の空気が熱を帯びていても、筐体１１の外部の空気を下面貫通孔１２５ｂから電源装置１６１内に直接取り込むことができるため、電源装置１６１内の温度が上昇することを抑制することができる。
【０１１２】
筐体１１の底板１１ｂを上下方向に貫通するのみならず、筐体１１の後方及び左方に開放する開口４５を筐体１１に設けたため、筐体１１の外部の空気を筐体１１の下方から下面貫通孔１２５ｂを通じて電源装置１６１内に取り込むのみならず、筐体１１の外部の空気を筐体１１の後方及び左方から下面貫通孔１２５ｂを通じて電源装置１６１内に取り込むことができる。したがって、例えば、スロットマシン１０が遊技場の島設備に設置された場合に、島設備の台座などにより筐体１１の開口４５の下方が塞がれたとしても、筐体１１の後方及び左方から筐体１１の外部の空気を取り込んで電源装置１６１の下方から上方への空気の対流を発生させることができる。このため、電源装置１６１内に熱がこもることを抑制することができ、電源装置１６１内の温度上昇を抑制することができる。また、スロットマシン１０が遊技場の島設備に設置された場合に、島設備の台座などにより筐体１１の開口４５の下方が塞がれ、かつメダル貸出装置などにより筐体１１の開口４５の左方が塞がれたとしても、開口４５の後方から筐体１１の外部の空気を取り込んで電源装置１６１の下方から上方への空気の対流を発生させることができる。このため、電源装置１６１内に熱がこもることを抑制することができ、電源装置１６１内の温度上昇を抑制することができる。
【０１１３】
筐体１１の開口４５を電源装置１６１の下面板１２１ｂにより塞ぐとともに、筐体１１の背板１１ｃの左下部に形成した各貫通孔４６を電源装置１６１の後面板１２１ｄにより塞ぐ構成としたため、筐体１１に開口４５や各貫通孔４６を形成しても、筐体１１の内部に行われる不正に対する抑止効果を奏することができる。開口４５や各貫通孔４６が電源装置１６１により塞がれていない場合、開口４５や各貫通孔４６から筐体１１の内部に手や工具が差し込まれ、例えば筐体１１の内部に不正基板を設置されるおそれがある。不正基板が設置されると、不正基板から出力された不正信号が主制御装置１３１に入力されることで、スロットマシン１０の当選確率などが不正に設定され、不正行為者が不正に利益を得てしまう可能性がある。そこで、筐体１１の開口４５及び各貫通孔４６を電源装置１６１で塞ぐことにより、かかる不正を抑制することができる。故に、電源装置１６１内に熱がこもることを抑制しつつ、筐体１１の内部に行われる不正に対する抑止効果を奏することができる。
【０１１４】
電源装置１６１の下面板１２１ｂに下面貫通孔１２５ｂを前後及び左右方向に整列するようにして複数形成したため、下面板１２１ｂにおいて、空気を通過させるための領域を大きく確保することができる。これにより、筐体１１の外部の空気を電源装置１６１内に取り込み易くなり、電源装置１６１の下方から上方への空気の対流を発生させ易くすることができる。このため、電源装置１６１内に熱がこもることをより好適に抑制することができる。確かに、筐体１１の開口４５が電源装置１６１の下面板１２１ｂによって覆われないように下面板１２１ｂに貫通孔を形成すれば、下面板１２１ｂにおいて空気を通過させるための領域を大きく確保することができるため、筐体１１の外部の空気を電源装置１６１内に取り込み易くなる。しかしながら、筐体１１の開口４５が電源装置１６１の下面板１２１ｂによって覆われないように下面板１２１ｂに貫通孔を形成すると、その貫通孔から電源装置１６１の内部に手や工具を差し込んで電源を不正に遮断する等の不正が行われることが懸念される。そこで、本実施の形態では、電源装置１６１の下面板１２１ｂに、下面貫通孔１２５ｂを前後及び左右方向に整列するようにして複数形成した。これにより、下面板１２１ｂにおいて、空気を通過させるための領域を細分化し、下面貫通孔１２５ｂの一つ一つを小さくすることが可能となる。したがって、下面板１２１ｂにおいて空気を通過させるための領域を大きく確保しつつ、下面貫通孔１２５ｂから手や工具が差し込まれることを抑制することができる。故に、電源装置１６１内の温度が上昇することを抑制しつつ、電源装置１６１等に不正が行われることを抑制することが可能となる。
【０１１５】
筐体１１の背板１１ｃの上部に貫通孔４８を形成したため、熱を帯びた空気が電源装置１６１の上面貫通孔１２５ａなどから排出された場合、その熱を帯びた空気を前記貫通孔４８から排出することができる。また、筐体１１の背板１１ｃの下部に貫通孔４７を形成したため、筐体１１の背板１１ｃの下部に形成した貫通孔４７から筐体１１の外部の空気を取り込むことができる。このため、熱を帯びた空気が電源装置１６１から筐体１１内に排出されたとしても、筐体１１の下部の貫通孔４７から筐体１１内に空気を取り込みつつ、熱を帯びた空気を筐体１１の上部の貫通孔４８から筐体１１の外部に排出することができる。これにより、電源装置１６１内の温度のみならず筐体１１内の温度が上昇することをも抑制することができる。
【０１１６】
また、筐体１１の背板１１ｃの上部に貫通孔４８を形成したため、筐体１１の内部に埃などが入ることを抑制しつつ、熱を帯びた空気を筐体１１の外部に排出することができる。例えば、筐体１１の天板１１ａに上下方向に貫通する貫通孔を形成した場合、その貫通孔から埃などが筐体１１の内部に入るおそれがある。この場合、筐体１１の内部への埃の進入を抑制するには、天板１１ａの貫通孔に防塵カバーなどを設ける必要がある。これに対し、背板１１ｃに貫通孔４８を形成した場合、貫通孔４８に防塵カバーなどを設けることなく筐体１１の内部への埃の侵入を抑制することができる。したがって、筐体１１の背板１１ｃの上部に貫通孔４８を形成することにより、貫通孔４８に防塵カバーなどを設けない比較的簡易な構成で、筐体１１の内部への埃の侵入を抑制しつつ、熱を帯びた空気を筐体１１の外部に排出することができる。
【０１１７】
電源装置１６１の側面板１２１ｅに側面貫通孔１２５ｅを前後方向だけでなく上下方向に整列するようにして複数形成したため、下面貫通孔１２５ｂからのみならず、側面板１２１ｅの下部に形成した側面貫通孔１２５ｅからも電源装置１６１内に空気を取り込むことができる。これにより、より多くの空気を電源装置１６１の内部に取り込むことができる。また、電源基板から過剰な熱が発生した場合には、上面貫通孔１２５ａからのみならず、側面板１２１ｅの上部に形成した側面貫通孔１２５ｅからも熱を帯びた空気を電源装置１６１の外部に排出することができる。さらに、電源装置１６１の下方のみならず電源装置１６１の右方からも空気を取り込んだり、電源装置１６１の上方のみならず電源装置１６１の右方へも空気を排出したりすることができるため、電源装置１６１内にて複数方向の空気の対流を発生させることができる。これにより、電源装置１６１内の隅部に熱がこもることを抑制することができる。以上の結果、電源装置１６１内の温度が上昇することを抑制することができる。
【０１１８】
電源装置１６１の後面板１２１ｄに後面貫通孔１２５ｄを左右方向だけでなく上下方向に整列するようにして複数形成し、筐体１１の背板１１ｃの左下部に形成した貫通孔４６の前方に後面板１２１ｄが位置するように、電源装置１６１の後面板１２１ｄを筐体１１の背板１１ｃに当接させて設置したため、電源装置１６１の後面貫通孔１２５ｄと筐体１１の貫通孔４６とを連通させることができる。したがって、下面貫通孔１２５ｂのみならず、後面板１２１ｄの下部に形成した後面貫通孔１２５ｄからも筐体１１の外部の空気を電源装置１６１内に直接取り込むことができる。これにより、筐体１１の外部の空気をより多く電源装置１６１内に取り込むことができる。故に、電源装置１６１内の温度が上昇することを抑制することができる。また、電源基板から過剰な熱が発生した場合には、上面貫通孔１２５ａや、側面板１２１ｅの上部に形成した側面貫通孔１２５ｅの他、後面板１２１ｄの上部に形成した後面貫通孔１２５ｄからも熱を帯びた空気を電源装置１６１の外部に排出することができる。さらに、電源装置１６１の後面貫通孔１２５ｄと筐体１１の貫通孔４６とが連通しているため、後面板１２１ｄの上部に形成した後面貫通孔１２５ｄから熱を帯びた空気を筐体１１の外部に直接排出することができる。これにより、電源装置１６１から排出される熱を帯びた空気のうち、電源装置１６１から筐体１１の内部に排出される空気を減少させることができる。故に、電源装置１６１内の温度が上昇することを抑制することができ、筐体１１内の温度が上昇することをも抑制することができる。
【０１１９】
電源装置１６１の後面板１２１ｄに後面貫通孔１２５ｄを左右及び上下方向に整列するようにして複数形成したため、後面板１２１ｄにおいて空気を通過させるための領域を大きく確保することができる。これにより、筐体１１の外部の空気を、後面板１２１ｄの下部に形成した後面貫通孔１２５ｄから電源装置１６１内に取り込み易くなり、電源装置１６１内の温度が上昇することを抑制することができる。また、電源基板から過剰な熱が発生した場合には、熱を帯びた空気を、後面板１２１ｄの上部に形成した後面貫通孔１２５ｄから筐体１１の外部に排出し易くなり、電源装置１６１内や筐体１１内の温度が上昇することを抑制することができる。確かに、筐体１１の背板１１ｃの左下部に形成した貫通孔４６が電源装置１６１の後面板１２１ｄによって覆われないように後面板１２１ｄに貫通孔を形成すれば、後面板１２１ｄにおいて空気を通過させるための領域を大きく確保することができるため、後面板１２１ｄの下部に形成した後面貫通孔１２５ｄから筐体１１の外部の空気を電源装置１６１内に取り込み易くなったり、後面板１２１ｄの上部に形成した後面貫通孔１２５ｄから熱を帯びた空気を筐体１１の外部に排出し易くなったりする。しかしながら、筐体１１の貫通孔４６が電源装置１６１の後面板１２１ｄによって覆われないように後面板１２１ｄに貫通孔を形成すると、その貫通孔から電源装置１６１の内部に手や工具を差し込んで電源を不正に遮断する等の不正が行われることが懸念される。そこで、本実施の形態では、電源装置１６１の後面板１２１ｄに、後面貫通孔１２５ｄを左右及び上下方向に整列するようにして複数形成した。これにより、後面板１２１ｄにおいて、空気を通過させるための領域を細分化し、後面貫通孔１２５ｄの一つ一つを小さくすることが可能となる。したがって、後面板１２１ｄにおいて空気を通過させるための領域を大きく確保しつつ、後面貫通孔１２５ｄから手や工具が差し込まれることを抑制することができる。故に、電源装置１６１内の温度が上昇することを抑制しつつ、電源装置１６１等に不正が行われることを抑制することが可能となる。
【０１２０】
底板１１ｂの隅角部の１つに切欠部４４を形成し、底板１１ｂの上面周縁部に立設するようにして背板１１ｃや左側板１１ｄを底板１１ｂに固定したため、底板１１ｂを上下方向に貫通するのみならず、筐体１１の後方及び左方に開放された開口４５を筐体１１の左後端部に形成することができる。かかる構成では、開口４５における筐体１１の後方及び左方に開放された部位の上下方向の寸法が、底板１１ｂの厚み寸法と同じとなる。したがって、底板１１ｂの厚み寸法を大きくすることにより、前記部位の上下方向の寸法を大きくすることができる。故に、底板１１ｂを厚さを厚くすれば、開口４５の下方が塞がれたとしても、開口４５の後方及び左方からの筐体１１の外部の空気を取り込みにくくなることを抑制することができる。さらに、かかる構成とすることにより、比較的簡易な構成で筐体１１に開口４５を形成することができる。例えば、底板１１ｂの背面及び側面に当接するようにして背板１１ｃや左側板１１ｄを固定した場合、底板１１ｂを上下方向に貫通するのみならず筐体１１の後方及び左方に開放された開口４５を筐体１１の左後端部に形成するには、底板１１ｂのみならず背板１１ｃ及び左側板１１ｄにも切欠部を形成する必要が生じ、切欠部を形成する板が増加するからである。
【０１２１】
底板１１ｂを木製材料により形成したため、開口４５の上下方向の寸法を比較的大きくすることができる。底板１１ｂを木製材料により形成した場合、底板１１ｂにはスロットマシン１０の重量などに耐えられる強度が必要とされるため、その強度を確保するためには底板１１ｂに前記強度を有する所定の厚みを持たせる必要が生じるからである。例えば、金属製材料により底板１１ｂを形成した場合、木製材料により底板１１ｂを形成した場合より底板１１ｂが薄くても、スロットマシン１０の重量などに耐えられる強度を得ることができる。このため、底板１１ｂを金属製材料により形成し、上記実施の形態と同じ上下方向の寸法の開口４５を筐体１１に形成するためには、背板１１ｃ及び左側板１１ｄにも切欠部を形成する必要が生じる。これに対し、底板１１ｂを木製材料により形成した場合、底板１１ｂに切欠部４４を形成すれば良く、背板１１ｃ及び左側板１１ｄに切欠部を形成する必要がない。したがって、底板１１ｂを木製材料により形成することにより、比較的簡易な構成で筐体１１に開口４５を形成することができる。
【０１２２】
なお、上述した実施の形態の記載内容に限定されず、例えば次のように実施してもよい。
【０１２３】
（ａ）上記実施の形態では、底板１１ｂに切欠部４４を形成することで筐体１１に開口４５を設けたが、底板、背板及び左側板に切欠部をそれぞれ形成することで筐体に開口を設けても良い。例えば、図１２に示すように、筐体２０１に開口２０３を設ける。
【０１２４】
図１２において、底板２０１ａの隅角部の１つには矩形状の切欠部２０２ａが形成されている。また、背板２０１ｂの隅角部の１つには矩形状の切欠部２０２ｂが形成され、左側板２０１ｃの隅角部の１つには矩形状の切欠部２０２ｃが形成されている。そして、底板２０１ａの上面周縁部に当接するようにして背板２０１ｂや左側板２０１ｃが底板２０１ａに固定された際には、切欠部２０２ｂ〜２０２ｄにより筐体２０１の左後端部に開口２０３が形成されるようになっている。
【０１２５】
電源装置２１０は、電源基板が金属性の電源ボックス２１１に収容されて構成されている。電源ボックス２１１は直方体形状に形成されており、下面板２１１ａには、横長の貫通孔２１２ａが前後及び左右方向に整列するようにして複数形成されている。また、後面板２１１ｂには、縦長の貫通孔２１２ｂが上下及び左右方向に整列するようにして複数形成されており、左面板２１１ｃには、横長の貫通孔２１２ｃが前後及び上下方向に整列するようにして複数形成されている。なお、図示は省略するが、電源装置２１０の上面板にも横長の貫通孔が前後及び左右方向に整列するようにして複数形成されている。
【０１２６】
電源装置２１０は、電源ボックス２１１の左面板２１１ｃが筐体１１の左側板２０１ｃ側と対向するようにして、底板２０１ａ、背板２０１ｂ及び左側板２０１ｃに当接されて設置されている。ここで、筐体２０１の底板２０１ａの切欠部２０２ａは電源ボックス２１１の下面板２１１ａより小さく形成されている。また、筐体２０１の背板２０１ｂの切欠部２０２ｂは電源ボックス２１１の後面板２１１ｂより小さく形成されており、筐体２０１の左側板２０１ｃの切欠部２０２ｃは電源ボックス２１１の左面板２１１ｃより小さく形成されている。したがって、電源装置２１０が筐体２０１に設置された状態では、開口２０３が電源装置２１０によって塞がれた状態となっている。
【０１２７】
次に、筐体２０１の内部における空気の流れについて簡単に説明する。
【０１２８】
電源装置２１０では、熱を帯びた空気が電源装置２１０の上面板の貫通孔から電源装置２１０の外部に放出されつつ、筐体２０１の外部の空気が開口２０３を介して電源装置２１０の下面板２１１ａの貫通孔２１２ａ、後面板２１１ｂの貫通孔２１２ｂ及び左面板２１１ｃの貫通孔２１２ｃから取り込まれる。下面板２１１ａの貫通孔２１２ａのみならず、後面板２１１ｂの貫通孔２１２ｂや左面板２１１ｃの貫通孔２１２ｃからも筐体２０１の外部の空気を取り込むことができるため、より多くの空気を電源装置２１０内に取り込むことができる。したがって、電源装置２１０内の温度が上昇することをより好適に抑制することができる。
【０１２９】
また、例えば、筐体２０１が遊技場の島設備に設置された場合に、島設備の台座などにより筐体２０１の開口２０３の下方が塞がれたとしても、筐体２０１の後方及び左方に開放された開口２０３を介して電源装置２１０の貫通孔２１２ａ〜２１２ｃから筐体２０１の外部の空気を電源装置２１０内に取り込むことができる。また、筐体２０１が遊技場の島設備に設置された場合に、島設備の台座などにより筐体２０１の開口２０３の下方が塞がれ、かつメダル貸出装置などにより筐体２０１の開口２０３の左方が塞がれたとしても、筐体２０１の後方に開放された開口２０３を介して電源装置２１０の貫通孔２１２ａ〜２１２ｃから筐体２０１の外部の空気を電源装置２１０内に取り込むことができる。以上の結果、筐体２０１の開口２０３の下方や左方が塞がれても、筐体２０１の外部のより多くの空気を電源装置２１０内に取り込むことができる。したがって、電源装置２１０内の温度が上昇することをより好適に抑制することができる。
【０１３０】
なお、筐体２０１の背板２０１ｂの切欠部２０２ｂ及び左側板２０１ｃの切欠部２０２ｃの上下方向の寸法が大きくなると、開口２０３の上下方向の寸法が大きくなるため、電源装置２１０が筐体２０１から露出する割合が大きくなる。したがって、開口２０３の上下方向の寸法が大きくなると、例えば、筐体２０１を遊技場の島設備に設置する際に、筐体２０１の前側が斜め上方を向くように筐体２０１が傾いた状態で島設備の台座に設置しようとすると、電源装置２１０の左後端部が台座に当たって破損するおそれがある。このため、筐体２０１の背板２０１ｂの切欠部２０２ｂ及び左側板２０１ｃの切欠部２０２ｃの上下方向の寸法を、筐体２０１の前面が斜め上方を向くように筐体２０１が傾いた状態でも、筐体２０１が台座に当たって電源装置２１０の左後端部が台座に当たらない寸法とすると良い。これにより、電源装置２１０が破損することを抑制することができる。具体的には、筐体２０１の開口２０３において、底板２０１ａの下面の後側端辺と背板２０１ｂの背面の下側端辺とを直線で結んだ場合に、その直線より電源装置２１０の左後端部が突出しなければ、筐体２０１の前面が斜め上方を向くように筐体２０１が傾いた状態でも、電源装置１６１の左後端部が台座に当たらない。したがって、筐体２０１の切欠部２０２ｂ，２０２ｃの上下方向の寸法を、前記直線から電源装置２１０の左後端部が突出しないように設定することにより、電源装置１６１が破損することを抑制することができる。なお、このことは、筐体２０１の開口２０３の前後方向及び左右方向の寸法についても同様である。
【０１３１】
（ｂ）上記実施の形態では、底板１１ｂを上下方向に貫通するとともに筐体１１の後方及び左方に開放する開口４５を筐体１１に形成したが、底板１１ｂを上下方向に貫通するとともに筐体１１の後方に開放する開口を筐体１１に形成しても良く、底板１１ｂを上下方向に貫通するとともに筐体１１の左方に開放する開口を筐体１１に形成しても良い。底板１１ｂを上下方向に貫通するとともに筐体１１の後方に開放する開口を筐体１１に形成した場合、開口の下方が塞がれても開口の後方が開放されているため下面板１２１ｂの下面貫通孔１２５ｂから電源装置１６１内に空気を取り込むことができる。したがって、電源装置１６１内の温度が上昇することを抑制することができる。底板１１ｂを上下方向に貫通するとともに筐体１１の左方に開放する開口を筐体１１に形成した場合、開口の下方が塞がれても開口の左方が開放されているため下面板１２１ｂの下面貫通孔１２５ｂから電源装置１６１内に空気を取り込むことができる。したがって、電源装置１６１内の温度が上昇することを抑制することができる。
【０１３２】
（ｃ）上記実施の形態では、開口４５を筐体１１の左後端部に形成したが、底板１１ｂを上下に貫通する領域が電源装置１６１の下方であれば開口４５を形成する箇所は筐体１１の左後端部に限らない。例えば、電源装置１６１が筐体１１の底板１１ｂ及び背板１１ｃと当接するように設置された場合、底板１１ｂを上下に貫通するとともに筐体１１の後方に開放する開口４５を、電源装置１６１により塞がれるように形成する。これにより、電源装置１６１内に熱がこもることを抑制しつつ、筐体１１の内部に行われる不正に対する抑止効果を奏することができる。また、電源装置１６１が筐体１１の底板１１ｂ及び左側板１１ｄと当接するように設置された場合、底板１１ｂを上下に貫通するとともに筐体１１の左方に開放する開口４５を、電源装置１６１により塞がれるように形成する。これにより、電源装置１６１内に熱がこもることを抑制しつつ、筐体１１の内部に行われる不正に対する抑止効果を奏することができる。故に、電源装置１６１の設置位置に応じた開口４５を筐体１１に形成すると良い。
【０１３３】
（ｄ）上記実施の形態では、背板１１ｃ、左側板１１ｄ及び右側板１１ｅを底板１１ｂの上面周縁部に立設させて固定することにより筐体１１を形成したが、背板１１ｃ、左側板１１ｄ及び右側板１１ｅを底板１１ｂの側面部に当接させて固定することにより筐体１１を形成しても良い。但し、かかる構成において、上記実施の形態と同じ開口４５を形成するためには、底板１１ｂに切欠部４４を設けるだけでなく背板１１ｃ及び左側板１１ｄにも切欠部を設ける必要がある。
【０１３４】
（ｅ）上記実施の形態では、筐体１１の背板１１ｃの上部に貫通孔４８を形成するなど、開口４５以外に貫通孔４８などを筐体１１に形成したが、開口４５以外に貫通孔４８などを筐体１１に形成しなくても良い。但し、開口４５以外に貫通孔４８などを筐体１１に形成しない場合、熱を帯びた空気を筐体１１の外部に排出しにくくなるため、筐体１１の内部や電源装置１６１の内部に空気の対流が発生しにくくなり、電源装置１６１内の温度が上昇するおそれがある。このため、筐体１１の背板１１ｃの上部に貫通孔４８を形成するなど、開口４５以外に貫通孔４８などを筐体１１に形成した方が、電源装置１６１の内部や筐体１１の内部に空気の対流を発生させ易くすることができ、電源装置１６１内の温度が上昇することを抑制することができる。
【０１３５】
（ｆ）上記実施の形態では、筐体１１の背板１１ｃの上部に貫通孔４８を形成したが、筐体１１の天板１１ａに貫通孔を形成しても良く、筐体１１の左側板１１ｄや右側板１１ｅの上部に貫通孔を形成しても良い。但し、天板１１ａに貫通孔を形成した場合、貫通孔から筐体１１の内部に埃などが入り易くなると考えられる。この場合には、貫通孔に防塵カバーなどを設けると良い。これにより、筐体１１の内部に埃などが入ることを抑制することができる。また、左側板１１ｄや右側板１１ｅの上部に貫通孔を形成する場合、メダル貸出装置などがスロットマシン１０の左方又は右方に設置されると、前記貫通孔が塞がれるおそれがあるため、メダル貸出装置などに塞がれない位置に前記貫通孔を形成すると良い。
【０１３６】
（ｇ）上記実施の形態では、電源装置１６１の電源ボックス１２１に横長の貫通孔１２５ａ，１２５ｂ，１２５ｅや縦長の貫通孔１２５ｄを形成したが、電源基板から発生する熱を電源装置１６１の外部に放出することができる構成であれば良く、その形状は任意である。例えば、電源ボックス１２１を構成する各板１２１ａ，１２１ｂ，１２１ｄ，１２１ｅを格子状とすることで貫通孔を形成しても良い。なお、電源ボックス１２１の内部領域に対する不正に対して抑止効果を奏するために、比較的小さい貫通孔を複数形成すると良い。
【０１３７】
（ｈ）上記実施の形態では、電源装置１６１の下面板１２１ｂにより筐体１１の開口４５を塞ぐ構成としたが、下面板１２１ｂのみに限らず電源装置１６１により筐体１１の開口４５を塞ぐ構成としても良い。例えば、電源装置１６１の下面板１２１ｂに、前面板１２１ｃ及び側面板１２１ｅと対応する周縁部から下方に延びる脚部を設ける。かかる構成においては、電源装置１６１の下面貫通孔１２５ｂと筐体１１の開口４５とを筐体（より詳しくは背板１１ｃ及び左側板１１ｄ）と脚部によって囲まれた領域を介して連通させることができる。したがって、筐体１１の外部の空気を電源装置１６１内に直接取り込むことができる。また、電源装置１６１の脚部は、筐体１１の内部への手や工具の侵入を阻止するための遮蔽部ともなっているため、筐体１１の内部に行われる不正に対する抑止効果を奏することができる。
【０１３８】
（ｉ）上記実施の形態では、上記各実施の形態では、各リール４２Ｌ，４２Ｍ，４２Ｒの回転を開始させた後、いずれかのストップスイッチ７２〜７４が操作された場合に対応するリール４２Ｌ，４２Ｍ，４２Ｒを停止させる構成としたが、これに加えて、各リール４２Ｌ，４２Ｍ，４２Ｒの回転を開始させてから所定時間（例えば２９．５秒）が経過した場合に回転中のリールを停止させる構成としても良い。
【０１３９】
（ｊ）上記実施の形態では、リールを３つ並列して備え、有効ラインとして５ラインを有するスロットマシンについて説明したが、かかる構成に限定されるものではなく、例えばリールを５つ並列して備えたスロットマシンや、有効ラインを７ライン有するスロットマシンであってもよい。
【０１４０】
（ｋ）上記実施の形態では、いわゆるＡタイプのスロットマシンについて説明したが、Ｂタイプ、Ｃタイプ、ＡタイプとＣタイプの複合タイプ、ＢタイプとＣタイプの複合タイプ、さらにはＣＴゲームを備えたタイプなど、どのようなスロットマシンにこの発明を適用してもよく、何れの場合であっても上述した実施の形態と同様の作用効果を奏することは明らかである。なお、これらの各タイプにおけるボーナス当選としては、ＢＢ当選、ＲＢ当選、ＳＢ当選、ＣＴ当選などが挙げられる。
【０１４１】
（ｌ）各リール４２Ｌ，４２Ｍ，４２Ｒの図柄としては、絵、数字、文字等に限らず、幾何学的な線や図形等であってもよい。また、光や色等によって図柄を構成することも可能であるし、立体的形状等によっても図柄を構成し得るし、これらを複合したものであっても図柄を構成し得る。即ち、図柄は識別性を有した情報（識別情報）としての機能を有するものであればよい。
【０１４２】
（ｍ）上記実施の形態では、ベットされたメダル数に応じて設定される有効ライン数が変化するスロットマシン１０について説明したが、ベットされたメダル数に関わらず一定数（例えば５本）の有効ラインを設定するスロットマシンに適用してもよい。かかるスロットマシンに適用した場合であっても、上記実施の形態と同様の作用効果を奏することは明らかである。
【０１４３】
（ｎ）上記実施の形態では、いわゆるスロットマシン１０について説明したが、かかる構成に限定されるものではなく、制御装置や電源装置等が箱体に搭載された遊技機に適用してもよい。例えば、遊技盤等を備える遊技機本体の背面側に、制御装置や電源装置等を搭載された箱体がその開放側を閉ざすようにして設けられたパチンコ機に適用してもよい。かかるパチンコ機などの遊技機においても、スロットマシン１０と同様に、制御装置を駆動させるべく電源装置から制御装置に電力の供給する際に電源装置から熱が発生し、電源装置内や箱体内の温度が上昇する可能性がある。そこで、本発明をかかる遊技機に適用することにより、電源装置内や箱体内の温度が上昇することを抑制することができる。
【図面の簡単な説明】
【０１４４】
【図１】一実施の形態におけるスロットマシンの正面図。
【図２】前面扉を閉じた状態を示すスロットマシンの斜視図。
【図３】スロットマシンを背面側から見た斜視図。
【図４】前面扉を開いた状態を示すスロットマシンの斜視図。
【図５】前面扉の背面図。
【図６】筐体の正面図。
【図７】左リールの組立斜視図。
【図８】各リールを構成する帯状ベルトの展開図。
【図９】入賞態様とメダル払出枚数との関係を示す説明図。
【図１０】電源装置を背面側から見た斜視図。
【図１１】スロットマシンのブロック回路図。
【図１２】別構成のスロットマシンを背面側から見た斜視図。
【符号の説明】
【０１４５】
１０…遊技機としてのスロットマシン、１１…筐体、１１ｂ…底板、１１ｃ…背板、１１ｄ…左側板、１１ｅ…右側板、４２…絵柄表示装置を構成するリール、４４…切欠部、４５…通気孔としての開口、４８…貫通孔、６１…絵柄表示装置を構成するステッピングモータ、７１…始動操作手段としてのスタートレバー、７２〜７４…停止操作手段としてのストップスイッチ、１２１…収容箱としての電源ボックス、１２１ａ…上面板、１２１ｂ…下面板、１２１ｅ…側面板、１２５ａ…上面貫通孔、１２５ｂ…下面貫通孔、１２５ｅ…側面貫通孔、１３１…変動表示制御手段としての主制御装置、１６１…電源装置、１６１ａ…電源供給手段としての電源部。
【図１】
2008011952.tif 000003
【図２】
2008011952.tif 000004
【図３】
2008011952.tif 000005
【図４】
2008011952.tif 000006
【図５】
2008011952.tif 000007
【図６】
2008011952.tif 000008
【図７】
2008011952.tif 000009
【図８】
2008011952.tif 000010
【図９】
2008011952.tif 000011
【図１０】
2008011952.tif 000012
【図１１】
2008011952.tif 000013
【図１２】
2008011952.tif 000014